(57)【要約】【課題】フィルタ清掃作業における作業負担をなくすことができる空気調和装置の提供。【解決手段】空気調和装置１００は、フィルタ２１と、ダストボックス８１と、スライダー８３と、スライダー駆動部８２と、塵埃排出ユニット８４と、制御部６０とを備えている。フィルタ２１は、室内機ケーシング２の内側に配置され、室内機ケーシング２の内側に取り込まれる空気から塵埃を除去する。ダストボックス８１は、フィルタ２１から剥離した塵埃を貯溜可能である。スライダー８３はダストボックス８１の内部に配置されている。スライダー駆動部８２は、スライダー８３を移動させる。塵埃排出ユニット８４は、ダストボックス８１の内部に溜まる塵埃を室内機ケーシング２の外側に排出する。制御部６０は、スライダー駆動部８２および塵埃排出ユニット８４を連動させて集塵排出運転を行う。【選択図】図４
2009068735.tif 000002
【特許請求の範囲】
【請求項１】
ケーシング（２）の内側に配置され、前記ケーシング（２）の内側に取り込まれる空気から塵埃を除去するフィルタ（２１）と、
前記フィルタ（２１）から剥離した塵埃を貯溜可能な塵埃受け部（８１）と、
前記塵埃受け部の内部に配置される集塵部材（８３）と、
前記集塵部材（８３）を移動させる駆動部（８２）と、
前記塵埃受け部（８１）の内部に溜まる塵埃を前記ケーシング（２）の外側に排出する排出部（８４）と、
前記駆動部（８２）および前記排出部（８４）を連動させて集塵排出運転を行う制御部（６０）と、
を備える空気調和装置（１００）。
【請求項２】
前記排出部（８４）は、前記塵埃受け部（８１）の内部と連通する連通口（８６）を有しており、
前記駆動部（８２）は、前記集塵部材（８３）を前記連通口（８６）近傍に移動させることが可能である、
請求項１に記載の空気調和装置（１００）。
【請求項３】
前記排出部（８４）は、前記塵埃受け部（８１）の内部から前記ケーシング（２）の外側に向かう空気流（Ａ１０）を生成可能なファン（８５）を有し、
前記制御部（６０）は、前記集塵排出運転において、前記集塵部材（８３）を移動させて集められる塵埃を、前記ファン（８５）を回転させて生成される前記空気流（Ａ１０）で排出する、
請求項１または２に記載の空気調和装置（１００）。
【請求項４】
前記駆動部（８２）は、前記集塵部材（８３）を前記連通口（８６）近傍から離れたところに更に移動させることが可能であり、
前記制御部（６０）は、前記ファン（８５）の回転を開始させた後に前記集塵部材（８３）の前記連通口（８６）近傍への移動を開始させ、前記集塵部材（８３）を前記連通口（８６）近傍から離れたところに移動させた後に前記ファン（８５）の回転を停止させる、
請求項３に記載の空気調和装置（１００）。
【請求項５】
前記駆動部（８２）は、前記集塵部材（８３）を前記連通口（８６）近傍から離れたところに更に移動させることが可能であり、
前記制御部（６０）は、前記ファン（８５）の回転を開始させた後に前記集塵部材（８３）の前記連通口（８６）近傍への移動を開始させ、前記ファン（８５）の回転を停止させた後に前記集塵部材（８３）を前記連通口（８６）から離れたところに移動させる、
請求項３に記載の空気調和装置（１００）。
【請求項６】
前記駆動部（８２）は、前記集塵部材（８３）を前記連通口（８６）近傍から離れたところに更に移動させることが可能であり、
前記制御部（６０）は、前記集塵部材（８３）の前記連通口（８６）近傍への移動を開始させた後に前記ファン（８５）の回転を開始させ、前記ファン（８５）の回転を停止させた後に前記集塵部材（８３）を前記連通口（８６）から離れたところに移動させる、
請求項３に記載の空気調和装置（１００）。
【請求項７】
前記駆動部（８２）は、前記集塵部材（８３）を前記連通口（８６）近傍から離れたところに更に移動させることが可能であり、
前記制御部（６０）は、前記集塵部材（８３）の前記連通口（８６）近傍への移動を開始させた後に前記ファン（８５）の回転を開始させ、前記集塵部材（８３）を前記連通口（８６）から離れたところに移動させた後に前記ファン（８５）の回転を停止させる、
請求項３に記載の空気調和装置（１００）。
【請求項８】
前記ファン（８５）は、前記塵埃受け部（８１）の近傍に配置される、
請求項３から７のいずれかに記載の空気調和装置（１００）。
【請求項９】
前記フィルタ（２１）近傍に配置され、前記フィルタ（２１）に付着した塵埃を前記フィルタ（２１）から剥離させるフィルタ清掃部（７２）を更に備え、
前記制御部（６０）は、前記フィルタ清掃部（７２）によって前記フィルタ（２１）に付着している塵埃を前記フィルタ（２１）から剥離させるフィルタ清掃運転を更に行い、前記フィルタ清掃運転の完了後に前記集塵排出運転を行う、
請求項１から８のいずれかに記載の空気調和装置（１００）。
【請求項１０】
前記制御部（６０）は、前記ケーシング（２）の内側に空気を取り込み前記ケーシング（２）の外側に空気を吹き出す通常運転を更に行い、前記通常運転の完了後に前記フィルタ清掃運転を行う、
請求項９に記載の空気調和装置（１００）。
【請求項１１】
前記制御部（６０）は、前記ケーシング（２）の内側に空気を取り込み前記ケーシング（２）の外側に空気を吹き出す通常運転を更に行い、前記通常運転中に前記集塵排出運転を行う、
請求項１から９のいずれかに記載の空気調和装置（１００）。
【発明の詳細な説明】
【技術分野】
【０００１】
本発明は、フィルタの自動清掃が可能な空気調和装置に関する。
【背景技術】
【０００２】
従来の空気調和装置では、室内空気取込口と室内熱交換器との間にフィルタが設けられているものが多い。フィルタは、室内空気取込口から取り込まれる空気中の塵埃を除去することで、室内熱交換器が塵埃によって汚染されることを防いでいる。しかし、このフィルタに塵埃が堆積すると通風抵抗が増大し消費電力が増加するため、フィルタを定期的に清掃する必要がある。
【０００３】
そこで、フィルタの清掃を行うフィルタ清掃機構を室内機ケーシングの内側に備える空気調和装置が提案されている。フィルタ清掃機構は、フィルタに付着している塵埃を剥離させるブラシと、この剥離した塵埃を溜める集塵パックとを有している。このため、この空気調和装置では、フィルタに付着している塵埃を、ブラシによって剥離させ、集塵パックに溜めることでフィルタの清掃を行っている（特許文献１参照）。
【特許文献１】実開昭６２−１６０２２１号公報
【発明の開示】
【発明が解決しようとする課題】
【０００４】
しかしながら、特許文献１では、清掃作業者が、集塵パックに溜まった塵埃を、室内機ケーシングの内側から外側に取り出した後に、廃棄している。このため、少なからずフィルタ清掃作業において作業負担がある。
【０００５】
本発明の課題は、フィルタ清掃作業における作業負担をなくすことができる空気調和装置を提供することにある。
【課題を解決するための手段】
【０００６】
第１発明に係る空気調和装置は、フィルタと、塵埃受け部と、集塵部材と、駆動部と、排出部と制御部とを備えている。フィルタは、ケーシングの内側に配置され、ケーシングの内側に取り込まれる空気から塵埃を除去する。塵埃受け部は、フィルタから剥離した塵埃を貯溜可能である。集塵部材は塵埃受け部の内部に配置されている。駆動部は、集塵部材を移動させる。排出部は、塵埃受け部の内部に溜まる塵埃をケーシングの外側に排出する。制御部は、駆動部および排出部を連動させて集塵排出運転を行う。
【０００７】
第１発明に係る空気調和装置では、駆動部は、塵埃受け部の内部に配置される集塵部材を移動させる。また、排出部は、塵埃受け部の内部に溜まる塵埃をケーシングの外側に排出する。さらに、制御部は、駆動部および排出部を連動させて集塵排出運転を行う。このため、フィルタから剥離し塵埃受け部の内部に溜まっている塵埃を集めて、ケーシングの外側に排出することができる。したがって、フィルタから剥離した塵埃をケーシングの内側からケーシングの外側に排出することができる。
【０００８】
これによって、フィルタ清掃作業における作業負担をなくすことができる。
【０００９】
第２発明に係る空気調和装置は、第１発明の空気調和装置であって、排出部は、塵埃受け部の内部と連通する連通口を有している。また、駆動部は、集塵部材を連通口近傍に移動させることが可能である。このため、塵埃受け部に溜められている塵埃を自動的に連通口近傍に集めることができる。
【００１０】
これによって、塵埃を集める作業を行う負担をなくすことができる。
【００１１】
第３発明に係る空気調和装置は、第１発明または第２発明の空気調和装置であって、排出部はファンを有している。ファンは、塵埃受け部の内部からケーシングの外側に向かう空気流を生成可能である。また、制御部は、集塵排出運転において、集塵部材を移動させて集められる塵埃を、ファンを回転させて生成される空気流で排出する。
【００１２】
第３発明に係る空気調和装置では、制御部は、集塵部材の移動によって集められる塵埃を、ファンの回転によって生成される空気流によって排出することで、集塵排出運転を行う。このため、駆動部と排出部とを連動させることによって、集塵排出運転を行うことができる。
【００１３】
第４発明に係る空気調和装置は、第３発明の空気調和装置であって、駆動部は、集塵部材を連通口近傍から離れたところに更に移動させることが可能である。また、制御部は、ファンの回転を開始させた後に、集塵部材の連通口近傍への移動を開始させる。さらに、制御部は、集塵部材を連通口近傍から離れたところに移動させた後に、ファンの回転を停止させる。
【００１４】
第４発明に係る空気調和装置では、制御部は、ファンの回転を開始させた後に集塵部材の連通口近傍への移動を開始させる。このため、塵埃受け部に溜まっている塵埃は、連通口近傍に集められながら連通口からケーシングの外側に排出される。したがって、例えば、塵埃受け部に溜まっている塵埃が連通口近傍に集められた後にケーシングの外側へ一度に排出される場合と比較して、ファンが必要とする動力を抑えることができる。
【００１５】
これによって、ファンを小型化することができる。
【００１６】
第５発明に係る空気調和装置は、第３発明の空気調和装置であって、駆動部は、集塵部材を連通口近傍から離れたところに更に移動させることが可能である。また、制御部は、ファンの回転を開始させた後に、集塵部材の連通口近傍への移動を開始させる。さらに、制御部は、ファンの回転を停止させた後に、集塵部材を連通口近傍から離れたところに移動させる。
【００１７】
第５発明に係る空気調和装置では、制御部は、ファンの回転を停止させた後に、集塵部材を連通口近傍から離れたところに移動させる。このため、例えば、集塵排出運転が行われているときにファンが常に駆動している場合と比較して、ファンの駆動時間を減少させることができる。
【００１８】
これによって、ファンを駆動させるために消費される電力を減少させることができる。
【００１９】
第６発明に係る空気調和装置は、第３発明の空気調和装置であって、駆動部は、集塵部材を連通口近傍から離れたところに更に移動させることが可能である。また、制御部は、集塵部材の連通口近傍への移動を開始させた後に、ファンの回転を開始させる。さらに、制御部は、ファンの回転を停止させた後に、集塵部材を連通口近傍から離れたところに移動させる。このため、例えば、集塵排出運転が行われているときにファンが常に駆動している場合と比較して、ファンの駆動時間を減少させることができる。
【００２０】
これによって、ファンを駆動させるために消費される電力を減少させることができる。
【００２１】
第７発明に係る空気調和装置は、第３発明の空気調和装置であって、駆動部は、集塵部材を連通口近傍から離れたところに更に移動させることが可能である。また、制御部は、集塵部材の連通口近傍への移動を開始させた後に、ファンの回転を開始させる。さらに、制御部は、集塵部材を連通口近傍から離れたところに移動させた後に、ファンの回転を停止させる。
【００２２】
第７発明に係る空気調和装置では、制御部は、集塵部材を連通口近傍から離れたところに移動させた後に、ファンの回転を停止させる。このため、集塵部材が連通口から離れたところに移動するときに、塵埃受け部に残留している塵埃がケーシングの外側に更に排出される。
【００２３】
これによって、より多くの塵埃を塵埃受け部からケーシングの外側に排出することができる。
【００２４】
第８発明に係る空気調和装置は、第３発明から第７発明のいずれかの空気調和装置であって、ファンは塵埃受け部の近傍に配置される。このため、ファンが塵埃受け部から離れたところに配置される場合と比較して、塵埃受け部の内部からケーシングの外側に流れる空気流に対する排出部における抵抗が小さくなる。
【００２５】
これによって、排出部における圧力損失を小さく抑えることができる。
【００２６】
第９発明に係る空気調和装置は、第１発明から第８発明のいずれかの空気調和装置であって、フィルタ清掃部を更に備えている。フィルタ清掃部は、フィルタ近傍に配置され、フィルタに付着した塵埃をフィルタから剥離させる。また、制御部は、フィルタ清掃運転を更に行い、フィルタ清掃運転の完了後に集塵排出運転を行う。
【００２７】
第９発明に係る空気調和装置では、制御部はフィルタ清掃運転の制御を行う。フィルタ清掃運転では、フィルタに付着している塵埃が、フィルタ清掃部によってフィルタから剥離される。このため、フィルタ清掃運転が行われることによってフィルタから剥離された塵埃を集め、ケーシングの外側に排出することができる。
【００２８】
これによって、フィルタ清掃作業を簡潔に行うことができる。
【００２９】
第１０発明に係る空気調和装置は、第９発明に空気調和装置であって、制御部は通常運転を更に行う。また、制御部は、通常運転の完了後にフィルタ清掃運転を行う。
【００３０】
第１０発明に係る空気調和装置では、制御部は通常運転の制御を行う。通常運転では、ケーシングの内側に空気が取り込まれケーシングの外側に空気が吹き出される。また、通常運転の完了後にフィルタ清掃運転が行われる。このため、フィルタ清掃運転時にフィルタから剥離される塵埃が、通常運転時にケーシングの外側に空気と共に吹き出されることを防ぐことができる。
【００３１】
これによって、通常運転時に吹き出される空気中に塵埃が混入するおそれを低くすることができる。
【００３２】
第１１発明に係る空気調和装置は、第１発明から第９発明に係る空気調和装置であって、制御部は通常運転を更に行う。また、制御部は、通常運転中に集塵排出運転を行う。
【００３３】
第１１発明に係る空気調和装置では、制御部は通常運転を行う。通常運転では、ケーシングの内側に空気が取り込まれケーシングの外側に空気が吹き出される。また、通常運転中に集塵排出運転が行われる。このため、通常運転時に発生する音中に集塵排出運転時に発生するファンの回転音を紛れ込ませることができる。
【発明の効果】
【００３４】
第１発明に係る空気調和装置では、フィルタ清掃作業における作業負担をなくすことができる。
【００３５】
第２発明に係る空気調和装置では、塵埃を集める作業を行う負担をなくすことができる。
【００３６】
第３発明に係る空気調和装置では、駆動部と排出部とを連動させて集塵排出運転を行うことができる。
【００３７】
第４発明に係る空気調和装置では、ファンを小型化することができる。
【００３８】
第５発明に係る空気調和装置では、ファンを駆動させるために消費される電力を減少させることができる。
【００３９】
第６発明に係る空気調和装置では、ファンを駆動させるために消費される電力を減少させることができる。
【００４０】
第７発明に係る空気調和装置では、より多くの塵埃を塵埃受け部からケーシングの外側に排出することができる。
【００４１】
第８発明に係る空気調和装置では、排出部における圧力損失を小さく抑えることができる。
【００４２】
第９発明に係る空気調和装置では、フィルタ清掃作業を簡潔に行うことができる。
【００４３】
第１０発明に係る空気調和装置では、通常運転時に吹き出される空気中に塵埃が混入するおそれを低くすることができる。
【００４４】
第１１発明に係る空気調和装置では、通常運転時に発生する音中に集塵排出運転時に発生するファンの回転音を紛れ込ませることができる。
【発明を実施するための最良の形態】
【００４５】
−第１実施形態−
＜空気調和装置の構成＞
本発明の第１実施形態に係る空気調和装置１００を図１に示す。この空気調和装置１００は、室内に設置される室内機１と、室外に設置される室外機３とを有しており、室内の冷房および暖房を行うことができる。
【００４６】
室外機３は、室外空調ユニット５と、室外空調ユニット５上に配置される調湿ユニット４とを有している。
【００４７】
室外空調ユニット５は、図２に示すように、圧縮機２２と、圧縮機２２の吐出側に接続されている四路切換弁２３と、圧縮機２２の吸入側に接続されるアキュムレータ１８と、四路切換弁２３に接続されている室外熱交換器１９と、室外熱交換器１９に接続された膨張弁２５とを有している。膨張弁２５は、冷媒配管を介して後述する室内熱交換器１２の一端と接続される。また、四路切換弁２３は、冷媒配管を介して室内熱交換器１２の他端と接続されている。また、室外空調ユニット５内には、プロペラファン２８が設けられている。プロペラファン２８は、室外の空気を取り込み、室外熱交換器１９での熱交換後の空気を室外に排出する。
【００４８】
調湿ユニット４は、図１に示すように、給排気ホース７を有している。給排気ホース７は、室外機３と室内機１との間に設けられており、調湿ユニット４からの室外空気や調湿空気等を室内機１側に供給するときや室内の空気を室外に排出するときに用いられる。このため、調湿ユニット４は、室外の空気を室内へ供給したり、室内の空気を室外へ排出したりすることができる。
【００４９】
＜室内機の構成＞
室内機１は、室内の壁面に取り付けられる壁掛け型の室内機であり、図３および図４に示すように、室内機ケーシング２と、本体ユニット１０と、フィルタユニット２０と、集塵ユニット８０と、塵埃排出ユニット８４とを有している。
【００５０】
〔室内機ケーシング〕
室内機ケーシング２は、上述の本体ユニット１０、フィルタユニット２０、集塵ユニット８０および塵埃排出ユニット８４の一部等を内部に収容する。室内機ケーシング２には、図３に示すように、空調のための室内空気取込口１６と室内空気吹出口１５とが形成されている。室内空気取込口１６は室内機ケーシング２の上部に設けられており、室内の空気を室内機ケーシング２の内側に取り込むための開口である。室内の空気は、後述する送風ファン１３によって室内空気取込口１６から室内機ケーシング２の内側に取り込まれる。室内空気吹出口１５は、室内機ケーシング２の前面下部に設けられている。また、室内空気吹出口１５近傍には、室内空気吹出口１５を覆うように水平フラップ１７が設けられている。水平フラップ１７は、フラップモータ（図示せず）によって回転駆動され、空気の案内方向を変更したり、吹き出し口を開閉したりする。
【００５１】
また、室内機ケーシング２の前面には、図１に示すように、複数のＬＥＤからなる表示部６が設けられている。表示部６は、空気調和装置１００の前方から視認可能なように設けられており、ＬＥＤの点灯の有無によって空気調和装置１００の運転状況を表示する。
【００５２】
〔本体ユニット〕
本体ユニット１０は、図２および図３に示すように、室内機ケーシング２の内側に配置され、室内熱交換器１２や送風ファン１３等を有している。室内熱交換器１２は、複数のフィンと、冷媒が流れる伝熱管とによって構成されており、通過する空気との間で熱交換を行う。送風ファン１３は、室内ファンモータ１４によって回転駆動されるクロスフローファンである。また、送風ファン１３は、室内から取り込まれ室内熱交換器１２によって温度調節された後に室内に吹き出される空気流を生成する。
【００５３】
〔フィルタユニット〕
フィルタユニット２０は、図３に示すように、室内機ケーシング２の内側に配置されており、フィルタ２１と、フィルタ２１を移動させるローラー３１と、フィルタ２１およびローラー３１を支持するガイド部材４１とを有している。
【００５４】
フィルタ２１は、室内熱交換器１２の前面側に配置され、室内から取り込まれた空気から塵埃を除去する。これにより、フィルタ２１は、空気中に浮遊する塵埃が室内熱交換器１２に付着し室内熱交換器１２が汚染されるのを防止している。また、フィルタ２１は、正規の状態では、室内熱交換器１２の前面側のほぼ全域を覆うように配置されている。フィルタ２１には、後述のピニオンギア３２と噛み合うラック２４が形成されている。
【００５５】
ローラー３１は、ピニオンギア３２を有している。ピニオンギア３２は、フィルタ２１のラック２４と噛み合っており、ピニオンギア３２が回転することによって、フィルタ２１を移動させる。
【００５６】
ガイド部材４１は、フィルタ２１が移動するための軌道となる案内溝を有している。案内溝は、前方案内溝４２ａと下方案内溝４２ｂと後方案内溝４２ｃと上方案内溝４２ｄとからなる。前方案内溝４２ａおよび後方案内溝４２ｃの長さはフィルタ２１の長手方向の約４分の３の長さに相当し、上方案内溝４２ｄの長さはフィルタ２１の長手方向の約４分の１の長さに相当する。下方案内溝４２ｂは、前述したピニオンギア３２の歯先円と同軸の円弧軌道を形成しており、前方案内溝４２ａの下端と後方案内溝４２ｃの下端とを結んでいる。前方案内溝４２ａの上端と後方案内溝４２ｃの上端とは、共に上方案内溝４２ｄの入口と繋がっている。また、フィルタ２１は、これら案内溝に沿って移動する。
【００５７】
〔集塵ユニット〕
集塵ユニット８０は、図３および図４に示すように、ダストボックス８１と回転ブラシ７２とスライダー８３とスライダー駆動部８２とを備えている。
【００５８】
ダストボックス８１は、図３に示すように、室内機ケーシング２の室内空気吹出口１５の前上部位置に固定されている。また、ダストボックス８１の右端部には、後述するスライダー８３の位置を検知する位置検知センサ９５が設けられている（図５参照）。
【００５９】
回転ブラシ７２は、図３および図４に示すように、ダストボックス８１の上側に配置されている。また、回転ブラシ７２は、フィルタユニット２０の下側に配置されており、回転ブラシ７２のブラシ先端部はフィルタ２１に接触している。このため、この回転ブラシ７２は、移動するフィルタ２１に押圧接触する。また、回転ブラシ７２は、ブラシ用モータ９８によって回転駆動される（図５参照）。
【００６０】
スライダー８３は、図４および図７に示すように、ダストボックス８１の内側に接触して、あるいは、わずかな隙間をあけて配備されている。また、スライダー８３には、スライダー側固定部９３が設けられている。スライダー側固定部９３は、スライダー８３に設けられた突起であり、後述するスライダー駆動部８２のスライダー用環状ベルト９０に設けられているベルト側固定部９１，９２に嵌め合わされる。
【００６１】
スライダー駆動部８２は、図４および図７に示すように、スライダー８３がダストボックス８１の内側を左右方向に移動するようにスライダー８３を駆動させる機構である。なお、ここでいう「左右」は、集塵ユニット８０が室内機１に備えられた状態での正面視における左右を意味している。スライダー駆動部８２は、駆動ローラー８８と、従属ローラー８９と、駆動用モータ８７と、スライダー用環状ベルト９０とを有している。駆動ローラー８８は、駆動用モータ８７によって回転する。従属ローラー８９は、駆動ローラー８８から離間して駆動ローラー８８に並行に配置される。駆動ローラー８８と従属ローラー８９とは、スライダー用環状ベルト９０の内側に配置されており、スライダー用環状ベルト９０を回転循環可能に支持している。また、スライダー用環状ベルト９０には、スライダー８３とスライダー用環状ベルト９０とを固定するためのベルト側固定部９１，９２が設けられている。ベルト側固定部９１，９２はスライダー用環状ベルト９０に設けられた突起であり、上述のスライダー側固定部９３がベルト側固定部９１，９２に圧入して嵌め合わされることで、スライダー８３とスライダー用環状ベルト９０とが一体的に固定される。
【００６２】
駆動用モータ８７は、図４および図５に示すように、制御部６０によって制御されており、回転運動を駆動ローラー８８に伝達して駆動ローラー８８を回転させることによって、スライダー８３を左右方向に移動させることができる。
【００６３】
〔塵埃排出ユニット〕
塵埃排出ユニット８４は、図４に示すように、排気ダクト９４と排気ファン８５とを備えており、ダストボックス８１に溜まった塵埃を室外へ排気する。
【００６４】
排気ダクト９４は、排気ダクト９４の内側の空間とダストボックス８１の内側の空間とを連通する連通口８６を有しており、連通口８６を介してダストボックス８１の左端側面に接続されている。また、排気ダクト９４の先端は室外に配置されている。このため、後述する排気ファン８５が回転することによって、ダストボックス８１の内側に溜められている塵埃が、排気ダクト９４の先端から空気と共に排出される。
【００６５】
排気ファン８５は、排気ダクト９４の内側に配備されており、ダストボックス８１の近傍に設けられている。また、排気ファン８５は、排気ファンモータ９９（図５参照）によって回転駆動されるシロッコファンである。排気ファン８５は、排気ファンモータ９９によって回転させられることで、ダストボックス８１の内部空間から室外空間に向かう空気流Ａ１０を生成する。
【００６６】
＜制御部＞
この空気調和装置１００は、図５に示すように、圧縮機２２、膨張弁２５および室内ファンモータ１４等の各種機器の動作制御を行う制御部６０を備えている。制御部６０は、冷房運転および暖房運転を含む通常運転のみならずフィルタ清掃運転および集塵排出運転等の運転制御を行う。なお、集塵排出運転は、制御部６０がスライダー駆動部８２の駆動用モータ８７および塵埃排出ユニット８４の排気ファンモータ９９を連動して制御することによって行われる。
【００６７】
＜空気調和装置の運転動作＞
次に、この空気調和装置１００の各運転動作について説明する。
【００６８】
〔通常運転〕
通常運転時には、圧縮機２２が駆動されると共に、膨張弁２５が所定の開度に絞られた状態で冷媒が冷媒回路を循環しており、室内熱交換器１２が蒸発器または凝縮器として機能している。また、送風ファン１３が駆動されることによって、空気が室内空気取込口１６から室内機１内に吸い込まれ、室内熱交換器１２を通って、室内空気吹出口１５から室内に吹き出される空気の流れが生成される。これによって、室内の冷房または暖房を行うことができる。
【００６９】
〔フィルタ清掃運転〕
上記の通常運転時には、フィルタ２１が図３に示す通常位置に位置した状態で運転が行われる。この通常位置では、フィルタ２１のラック２４は、前方案内溝４２ａと上方案内溝４２ｄとに収まっており、ラック２４の一端（以後、第１端部２４ａという）はピニオンギア３２と噛み合っている。通常運転が行われると、フィルタ２１に塵埃が付着するため、通常運転完了後にフィルタ２１に付着している塵埃を自動的に除去するフィルタ清掃運転が行われる。以下、このフィルタ清掃運転時の動作について、図３を参照しながら説明する。
【００７０】
まず、図３の状態から、制御部６０はローラー用モータ９６を駆動することでローラー３１を回転させ、フィルタ２１を移動させる。ローラー３１が回転すると、ピニオンギア３２からラック２４に回転が伝達され、フィルタ２１は、ローラー３１によって下方案内溝４２ｂで方向転換して後方案内溝４２ｃ側へ搬送される。ローラー３１が回転し続けると、ラック２４の第１端部２４ａは上方案内溝４２ｄに入り上方案内溝４２ｄの終端に到達する。このとき、フィルタ２１のラック２４は、後方案内溝４２ｃと上方案内溝４２ｄとに収まっており、ラック２４の他端（以後、第２端部２４ｂという）はピニオンギア３２と噛み合っている。
【００７１】
また、フィルタ２１が移動する際に、フィルタ２１の表面に付着していた塵埃は、回転ブラシ７２によってかき取られ、ダストボックス８１に溜められる。回転ブラシ７２は、少なくともフィルタ２１が前方から後方へ移動している間は回転しており、その回転方向は、フィルタ２１の進行方向に逆らう方向である。
【００７２】
フィルタ２１が前方から後方へ移動し塵埃の除去が終了すると、制御部６０は、ローラー３１を逆回転させる。フィルタ２１のラック２４の第２端部２４ｂは、ピニオンギア３２と噛み合っているので、ピニオンギア３２からラック２４に回転が伝達され、フィルタ２１は、ローラー３１によって下方案内溝４２ｂで方向転換して前方案内溝４２ａ側へ搬送される。ローラー３１が逆回転し続けると、ラック２４の第２端部２４ｂは上方案内溝４２ｄに入り上方案内溝４２ｄの終端に到達する。このとき、制御部６０がローラー３１の回転を停止させることによって、フィルタ清掃運転が完了する。フィルタ清掃運転が完了すると、ダストボックス８１に溜まった塵埃を室内機１の外側に排出する集塵排出運転が開始される。以下、集塵排出運転時の動作について、図６および図７を参照しながら説明する。
【００７３】
〔集塵排出運転〕
フィルタ清掃運転が完了すると、上述のように集塵排出運転が開始される（ステップＳ１）。集塵排出運転が開始されると、まず、スライダー８３がダストボックス８１の右端部に位置しているか否かが位置検知センサ９５によって検知される（ステップＳ２）。以下、ダストボックス８１の右端部位置を初期位置とする。スライダー８３が初期位置に位置している場合、制御部６０は排気ファンモータ９９を駆動することで排気ファン８５を回転させる（ステップＳ３）。一方、スライダー８３が初期位置に位置していない場合、制御部６０は、駆動用モータ８７を駆動させ、スライダー８３を図７中の矢印Ａ２の方向に移動させてスライダー８３を初期位置に移動させた後、排気ファンモータ９９を駆動することで排気ファン８５を回転させる（ステップＳ２〜ステップＳ４）。
【００７４】
排気ファン８５が正常に起動し、排気ダクト９４につまりが発生していない場合、スライダー８３の往復路移動が開始される（ステップＳ５〜ステップＳ７）。なお、ここでいう、スライダー８３の往復路移動は、往路移動と復路移動とに分けられる。スライダー８３の往路移動は、制御部６０が、駆動用モータ８７を駆動させ、スライダー８３を図７中の矢印Ａ１の方向に初期位置からダストボックス８１の左端部まで移動させることにより行われる。また、スライダー８３の復路移動は、制御部６０が、駆動用モータ８７を駆動させ、スライダー８３を図７中の矢印Ａ２の方向にダストボックス８１の左端部から初期位置まで移動させることにより行われる。
【００７５】
スライダー８３の往復路移動が終了すると、制御部６０は、排気ファンモータ９９の駆動を停止することで排気ファン８５の回転を停止させる（ステップＳ８，ステップＳ９）。これによって、集塵排出運転が完了する。
【００７６】
また、排気ファン８５が正常に起動しない場合、または、排気ダクト９４につまりが発生した場合には、室内機ケーシング２の前面に設けられている表示部６にエラーが表示される（ステップＳ１０）。
【００７７】
＜特徴＞
（１）
実開昭６２−１６０２２１号公報に記載されている空気調和装置では、フィルタの表面から剥離された塵埃を室内機ケーシングの内側に配備されている集塵パックに溜め、清掃作業者が、この集塵パックを室内機ケーシングの外側に取り出し、集塵パックに溜まった塵埃を廃棄している。
【００７８】
これに対して、上記実施形態では、従来の空気調和装置の集塵パックに相当するダストボックス８１の内部に溜まっている塵埃を、ダストボックス８１の左端部に集めると同時に室内機ケーシング２の外側に排出している。このため、フィルタ２１から剥離された塵埃を室内機ケーシング２の内側から室内機ケーシング２の外側に排出することができる。
【００７９】
これによって、フィルタ清掃作業における作業負担をなくすことができている。
【００８０】
（２）
上記実施形態では、排気ダクト９４は連通口８６を有しており、スライダー駆動部８２はスライダー８３を初期位置から連通口８６近傍まで移動させる。このため、ダストボックス８１に溜まっている塵埃は、スライダー８３によってダストボックス８１の左端部に自動的に集められる。また、制御部６０は、排気ファン８５の回転が開始された後に、スライダー駆動部８２の駆動を開始させる。このため、ダストボックス８１に溜まっている塵埃は、ダストボックス８１の左端部に集められながら室外に排出される。したがって、ダストボックス８１に溜まっている塵埃が左端部に集められた後に室外に一度に排出される場合と比較して、排出される塵埃が少量ずつであるため、ダストボックス８１の内側に溜まっている塵埃を室外に排出しやすくすることができている。
【００８１】
また、排出される塵埃が少量ずつであるため、集められた塵埃が一度に排出される場合と比較して、排気ファン８５を小型化することができる。
【００８２】
（３）
上記実施形態では、フィルタ清掃運転の完了後に集塵排出運転が行われている。フィルタ清掃運転では、回転ブラシ７２によってフィルタから剥離される塵埃が、フィルタ清掃運転完了までダストボックス８１に溜まり続ける。このため、フィルタ清掃運転と集塵排出運転とが同時に行われた場合、フィルタから剥離される塵埃を室外空間に排出するためには、スライダー８３を少なくとも２回以上往復移動させなければならないことになる。したがって、フィルタ清掃運転と同時に集塵排出運転が行われる場合と比較して、ダストボックス８１の内部に溜まっている塵埃を効率よく室外空間に排出することができる。
【００８３】
これによって、フィルタ清掃作業を簡潔に行うことができている。
【００８４】
（４）
上記実施形態では、通常運転の完了後にフィルタ清掃運転が行われている。
このため、フィルタ清掃運転において行われるフィルタ２１からの塵埃の剥離は、送風ファン１３によって空気流が生成されていない状態で行われる。
【００８５】
これによって、通常運転時に吹き出される空気中に塵埃が混入するおそれを低くすることができている。
【００８６】
（５）
上記実施形態では、排気ファン８５がダストボックス８１近傍に配置されている。このため、例えば、排気ファン８５が室内機ケーシング２の外側に配置される場合と比較して、排気ダクト９４において、ダストボックス８１の内側から室外空間に流れる空気に対する抵抗を小さくすることができる。
【００８７】
これによって、排気ダクト９４における圧力損失を小さく抑えることができている。また、排気ダクト９４における空気流に対する抵抗を小さくすることができているため、排気ファン８５の騒音を抑えることができている。
【００８８】
＜変形例＞
（Ａ）
上記実施形態では、通常運転が完了した後に、フィルタ清掃運転および集塵排出運転が行われているが、通常運転中に集塵排出運転が行われてもよい。具体的には、通常運転が行われている間に、制御部によってフィルタ清掃運転が必要であると判断された場合（例えば、通常運転の累計運転時間が所定時間に到達した場合等）、または、リモコンによってフィルタ清掃運転の指示が為された場合、制御部は、通常運転を一時停止しフィルタ清掃運転を行う。そして、フィルタ清掃運転が完了した後、制御部は、一時停止していた通常運転を再び開始すると同時に集塵排出運転を開始する。そして、集塵排出運転が完了した後、制御部は、通常運転のみを継続して行う。このため、集塵排出運転時に発生する排気ファンの回転音を、通常運転時に発生する送風ファンの回転音等に紛れ込ませることができる。
【００８９】
なお、通常運転、フィルタ清掃運転および集塵排出運転は、上記実施形態と同様の運転である。
【００９０】
−第２実施形態−
本発明の第２実施形態に係る空気調和装置の集塵排出運転時における制御部の動作の流れを図８に示す。なお、第２実施形態では、集塵排出運転時のスライダーおよび排気ファンの運転動作の順序以外は、第１実施形態と同様である。したがって、第２実施形態では、第１実施形態と同様の符号を用いて、集塵排出運転時のスライダーおよび排気ファンの運転動作のみを以下に説明する。
【００９１】
＜集塵排出運転＞
空気調和装置１００の集塵排出運転について、図４，図５，図７および図８を参照しながら説明する。
【００９２】
フィルタ清掃運転が完了すると、集塵排出運転が開始される（ステップＳ１１）。集塵排出運転が開始されると、まず、スライダー８３がダストボックス８１の右端部に位置しているか否かが位置検知センサ９５によって検知される（ステップＳ１２）。以下、ダストボックス８１の右端部位置を初期位置とする。スライダー８３が初期位置に位置している場合、制御部６０は排気ファンモータ９９を駆動することで排気ファン８５を回転させる（ステップＳ１３）。一方、スライダー８３が初期位置に位置していない場合、制御部６０は、駆動用モータ８７を駆動させ、スライダー８３を図７中の矢印Ａ２の方向に移動させてスライダー８３を初期位置に移動させた後、排気ファンモータ９９を駆動することで排気ファン８５を回転させる（ステップＳ１２〜ステップＳ１４）。
【００９３】
排気ファン８５が正常に起動し、排気ダクト９４につまりが発生していない場合、スライダー８３の往路移動が開始される（ステップＳ１５〜ステップＳ１７）。なお、スライダー８３の往復路移動は、制御部６０が、駆動用モータ８７を駆動させ、スライダー８３を図７中の矢印Ａ１の方向に初期位置からダストボックス８１の左端部まで移動させることにより行われる。
【００９４】
スライダー８３の往路移動が終了すると、制御部６０は、排気ファンモータ９９の駆動を停止することで排気ファン８５の回転を停止させる（ステップＳ１８，ステップＳ１９）。そして、排気ファン８５の回転の停止後、スライダー８３を復路移動させる（ステップＳ２０）。なお、スライダー８３の復路移動は、制御部６０が、駆動用モータ８７を駆動させ、スライダー８３を図７中の矢印Ａ２の方向にダストボックス８１の左端部から初期位置まで移動させることにより行われる。これによって、集塵排出運転が完了する。
【００９５】
また、排気ファン８５が正常に起動しない場合、または、排気ダクト９４につまりが発生した場合には、室内機ケーシング２の前面に設けられている表示部６にエラーが表示される（ステップＳ２１）。
【００９６】
＜特徴＞
上記実施形態では、制御部６０は、排気ファン８５の回転が開始された後に、スライダー駆動部８２を駆動してスライダー８３の往路移動を開始させている。このため、ダストボックス８１に溜まっている塵埃は、ダストボックス８１の左端部に集められながら室外に排出される。したがって、ダストボックス８１に溜まっている塵埃が左端部に集められた後に室外に一度に排出される場合と比較して、排出される塵埃が少量ずつであるため、ダストボックス８１の内側に溜まっている塵埃を室外に排出しやすくすることができている。
【００９７】
また、排出される塵埃が少量ずつであるため、集められた塵埃が一度に排出される場合と比較して、排気ファン８５を小型化することができる。
【００９８】
さらに、スライダー８３の往路移動が終了すると、制御部６０は、排気ファンモータ９９の駆動を停止することで排気ファン８５の回転を停止させている。そして、排気ファン８５の回転の停止後、スライダー８３を復路移動させている。このため、例えば、集塵排出運転が行われているときに排気ファンが常に駆動している場合と比較して、排気ファンの駆動時間を減少させることができる。
【００９９】
これによって、排気ファン８５を駆動させるために消費される電力を減少させることができている。
【０１００】
−第３実施形態−
本発明の第３実施形態に係る空気調和装置の集塵排出運転時における制御部の動作の流れを図９に示す。なお、第３実施形態では、集塵排出運転時のスライダーおよび排気ファンの運転動作の順序以外は、第１実施形態と同様である。したがって、第３実施形態では、第１実施形態と同様の符号を用いて、集塵排出運転時のスライダーおよび排気ファンの運転動作のみを以下に説明する。
【０１０１】
＜集塵排出運転＞
空気調和装置１００の集塵排出運転について、図４，図５，図７および図９を参照しながら説明する。
【０１０２】
フィルタ清掃運転が完了すると、集塵排出運転が開始される（ステップＳ３１）。集塵排出運転が開始されると、まず、スライダー８３がダストボックス８１の右端部に位置しているか否かが位置検知センサ９５によって検知される（ステップＳ３２）。以下、ダストボックス８１の右端部位置を初期位置とする。スライダー８３が初期位置に位置している場合、スライダー８３の往路移動が開始される（ステップＳ３３）。なお、スライダー８３の往復路移動は、制御部６０が、駆動用モータ８７を駆動させ、スライダー８３を図７中の矢印Ａ１の方向に初期位置からダストボックス８１の左端部まで移動させることにより行われる。また、スライダー８３が初期位置に位置していない場合、制御部６０は、駆動用モータ８７を駆動させ、スライダー８３を図７中の矢印Ａ２の方向に移動させてスライダー８３を初期位置に移動させた後、スライダー８３の往路移動を開始させる（ステップＳ３４）。そして、スライダー８３の往路移動が終了した後に、制御部６０は排気ファンモータ９９を駆動することで排気ファン８５の回転を開始する（ステップＳ３５，ステップＳ３６）。
【０１０３】
排気ファン８５が正常に起動し、排気ダクト９４につまりが発生していない場合、制御部６０は排気ファン８５を所定時間（例えば、３分間）駆動させ、スライダー８３によって集められたダストボックス８１内の塵埃を室外に排出する（ステップＳ３７，ステップＳ３８）。そして、排気ファン８５の駆動開始から所定時間が経過した後、制御部６０は、排気ファン８５の回転を停止させる（ステップＳ３９）。そして、排気ファン８５の回転の停止後、スライダー８３を復路移動させる（ステップＳ４０）。なお、スライダー８３の復路移動は、制御部６０が、駆動用モータ８７を駆動させ、スライダー８３を図７中の矢印Ａ２の方向にダストボックス８１の左端部から初期位置まで移動させることにより行われる。これによって、集塵排出運転が完了する。
【０１０４】
また、排気ファン８５が正常に起動しない場合、または、排気ダクト９４につまりが発生した場合には、室内機ケーシング２の前面に設けられている表示部６にエラーが表示される（ステップＳ４１）。
【０１０５】
＜特徴＞
上記実施形態では、制御部６０は、スライダー８３の往路移動が終了した後に、排気ファンモータ９９を駆動することで排気ファン８５の回転を開始する。また、制御部６０は、排気ファン８５を所定時間駆動させ、スライダー８３によって集められたダストボックス８１内の塵埃を室外に排出する。そして、所定時間経過後、制御部６０は、排気ファン８５の回転を停止させ、排気ファン８５の回転の停止後スライダー８３を復路移動させる。このため、例えば、集塵排出運転が行われているときに排気ファンが常に駆動している場合と比較して、排気ファンの駆動時間を減少させることができる。
【０１０６】
これによって、排気ファン８５を駆動させるために消費される電力を減少させることができている。
【０１０７】
−第４実施形態−
本発明の第４実施形態に係る空気調和装置の集塵排出運転時における制御部の動作の流れを図１０に示す。なお、第４実施形態では、集塵排出運転時のスライダーおよび排気ファンの運転動作の順序以外は、第１実施形態と同様である。したがって、第４実施形態では、第１実施形態と同様の符号を用いて、集塵排出運転時のスライダーおよび排気ファンの運転動作のみを以下に説明する。
【０１０８】
＜集塵排出運転＞
空気調和装置１００の集塵排出運転について、図４，図５，図７および図１０を参照しながら説明する。
【０１０９】
フィルタ清掃運転が完了すると、集塵排出運転が開始される（ステップＳ５１）。集塵排出運転が開始されると、まず、スライダー８３がダストボックス８１の右端部に位置しているか否かが位置検知センサ９５によって検知される（ステップＳ５２）。以下、ダストボックス８１の右端部位置を初期位置とする。スライダー８３が初期位置に位置している場合、スライダー８３の往路移動が開始される（ステップＳ５３）。なお、スライダー８３の往復路移動は、制御部６０が、駆動用モータ８７を駆動させ、スライダー８３を図７中の矢印Ａ１の方向に初期位置からダストボックス８１の左端部まで移動させることにより行われる。また、スライダー８３が初期位置に位置していない場合、制御部６０は、駆動用モータ８７を駆動させ、スライダー８３を図７中の矢印Ａ２の方向に移動させてスライダー８３を初期位置に移動させた後、スライダー８３の往路移動を開始する（ステップＳ５４）。そして、スライダー８３の往路移動が終了した後に、制御部６０は排気ファンモータ９９を駆動することで排気ファン８５の回転を開始する（ステップＳ５５，ステップＳ５６）。
【０１１０】
排気ファン８５が正常に起動し、排気ダクト９４につまりが発生していない場合、制御部６０は排気ファン８５を所定時間（例えば、３分間）駆動させ、スライダー８３によって集められたダストボックス８１内の塵埃を室外に排出する（ステップＳ５７，ステップＳ５８）。そして、排気ファン８５の駆動開始から所定時間が経過した後、制御部６０は、スライダー８３を復路移動させる。なお、スライダー８３の復路移動は、制御部６０が、駆動用モータ８７を駆動させ、スライダー８３を図７中の矢印Ａ２の方向にダストボックス８１の左端部から初期位置まで移動させることにより行われる。そして、スライダー８３の復路移動完了後、制御部６０は、排気ファン８５の回転を停止する（ステップＳ５９，ステップＳ６０）。これによって、集塵排出運転が完了する。
【０１１１】
また、排気ファン８５が正常に起動しない場合、または、排気ダクト９４につまりが発生した場合には、室内機ケーシング２の前面に設けられている表示部６にエラーが表示される（ステップＳ６１）。
【０１１２】
＜特徴＞
上記実施形態では、制御部６０は、スライダー８３の復路移動完了後、排気ファン８５の回転を停止する。このため、スライダー８３が復路移動しているときにも、ダストボックス８１の内側から室外に向かって空気流Ａ１０が生成されていることになる。したがって、例えば、スライダー８３がダストボックス８１に溜まっている塵埃を往路移動中に集め損ない、塵埃がダストボックス８１の内側に残留してしまった場合でも、残留した塵埃をダストボックス８１の内側から室外に更に排出することができる。
【０１１３】
これによって、より多くの塵埃をダストボックス８１から室外に排出することができている。
【０１１４】
また、制御部６０は、スライダー８３の往路移動が終了した後に、排気ファンモータ９９の駆動を開始することで排気ファン８５の回転を開始する。このため、例えば、集塵排出運転が行われているときに排気ファンが常に駆動している場合と比較して、排気ファンの駆動時間を減少させることができる。
【０１１５】
これによって、排気ファン８５を駆動させるために消費される電力を減少させることができている。
【産業上の利用可能性】
【０１１６】
本発明によれば、空気調和装置において、フィルタの清掃作業の負担をなくすことができるようになる。
【図面の簡単な説明】
【０１１７】
【図１】本発明の第１実施形態に係る空気調和装置の外観図。
【図２】本発明の第１実施形態に係る空気調和装置の概略冷媒回路図。
【図３】本発明の第１実施形態に係る空気調和装置の室内機の縦断面図。
【図４】本発明の実施形態に係る空気調和装置の集塵ユニットの概略斜視図。
【図５】本発明の実施形態に係る空気調和装置の制御ブロック図。
【図６】本発明の第１実施形態に係る空気調和装置の集塵排出運転のフローチャート。
【図７】本発明の実施形態に係る空気調和装置の集塵機構の正面図。
【図８】本発明の第２実施形態に係る空気調和装置の集塵排出運転のフローチャート。
【図９】本発明の第３実施形態に係る空気調和装置の集塵排出運転のフローチャート。
【図１０】本発明の第４実施形態に係る空気調和装置の集塵排出運転のフローチャート。
【符号の説明】
【０１１８】
２      室内機ケーシング（ケーシング）
２１      フィルタ
６０      制御部
７２      回転ブラシ（フィルタ清掃部）
８１      ダストボックス（塵埃受け部）
８２      スライダー駆動部（駆動部）
８３      スライダー（集塵部材）
８４      塵埃排出ユニット（排出部）
８５      排気ファン（ファン）
８６      連通口
１００      空気調和装置
【図１】
2009068735.tif 000003
【図２】
2009068735.tif 000004
【図３】
2009068735.tif 000005
【図４】
2009068735.tif 000006
【図５】
2009068735.tif 000007
【図６】
2009068735.tif 000008
【図７】
2009068735.tif 000009
【図８】
2009068735.tif 000010
【図９】
2009068735.tif 000011
【図１０】
2009068735.tif 000012